(57)【要約】【課題】災害時等において、ペットを飼い主と一緒に円滑に避難させるペット用シェルター兼キャリー・ハウスを提供する。【解決手段】  平板状の床底部（２１）と、前記床底部を上方から覆うドーム状の上部外装部（２２）と、を有する本体上部（２０）と、前記床底部に対して下方から対向する支持面（５２）と、前記支持面を下方から覆うドーム状の下部外装部（５４）と、を有する本体下部（５０）と、前記床底部と前記支持面とを着脱自在に接続する接続部（６０）と、を有するペット用シェルター兼キャリー・ハウス。【選択図】  図５
2015112101.tif 000002
【特許請求の範囲】
【請求項１】
平板状の床底部と、前記床底部を上方から覆うドーム状の上部外装部と、を有する本体上部と、
前記床底部に対して下方から対向する支持面と、前記支持面を下方から覆うドーム状の下部外装部と、を有する本体下部と、
前記床底部と前記支持面とを着脱自在に接続する接続部と、
を有するペット用シェルター兼キャリー・ハウス。
【請求項２】
前記接続部は、
前記床底部及び前記支持面のうちいずれか一方に設けられた永久磁石と、
前記床底部及び前記支持面のうちいずれか他方に、前記永久磁石に対向するように設けられ、磁性材料で構成される磁気結合部と、を有する請求項１に記載のペット用シェルター兼キャリー・ハウス。
【請求項３】
前記本体下部は、前記上部外装部を構成する材料より比重が高い材料によって構成される重心調整部を有し、
前記本体下部の重量は、前記本体上部の重量より重いことを特徴とする請求項１又は請求項２に記載のペット用シェルター兼キャリー・ハウス。
【請求項４】
前記上部外装部の頂部近傍には、メッシュ状になっており通気可能な頂部開口部が形成されており、前記頂部開口部の外周は、前記上部外装部から上方へ突出するリング状の周壁部に囲まれている請求項１から請求項３までのいずれかに記載のペット用シェルター兼キャリー・ハウス。
【請求項５】
前記上部外装部における一方の側方には、出入り口開口部が形成されており、
前記上部外装部には、メッシュ状になっており通気可能な窓部を有し前記出入り口開口部を閉止する第１の扉部と、浸水を防止する防水部を介して前記出入り口開口部を水密に封止する第２の扉部と、を交換可能に取り付けられる扉取付部が設けられていることを特徴とする請求項１から請求項４までのいずれかに記載のペット用シェルター兼キャリー・ハウス。
【請求項６】
前記第１の扉部は、前記窓部に係止可能であって、前記第１の扉部が前記出入り口開口部を閉止した際に、前記本体上部の内部に収容される第１のフード皿を有することを特徴とする請求項５に記載のペット用シェルター兼キャリー・ハウス。
【請求項７】
前記第２の扉部は、前記第２の扉部が前記出入り口開口部を閉止した際に、前記本体上部の内部に収容される第２のフード皿を有することを特徴とする請求項５又は請求項６に記載のペット用シェルター兼キャリー・ハウス。
【請求項８】
前記本体上部における前記床底部と前記上部外装部に覆われた空間は、前記出入り口開口部からペットが出入りできるペット居住領域と、給水ノズルに接続される貯水部が収納される収納部と、に分離されており、
前記ペット居住領域と前記収納部は、前記ペット居住領域に前記給水ノズルの先端部が露出した状態で、前記給水ノズルが設置される仕切り壁により分離されており、
前記本体上部の他方の側方には、第３の扉部によって水密に封止可能であって、前記収納部に前記貯水部を出し入れ可能な付設開口部が形成されていることを特徴とする請求項５から請求項７のいずれかに記載のペット用シェルター兼キャリー・ハウス。
【請求項９】
前記上部外装部は、ＡＢＳ樹脂、ＦＲＰ、ＰＣ及びＰＰのうち少なくとも１つを含む材料で構成されることを特徴とする請求項１から請求項８までのいずれかに記載のペット用シェルター兼キャリー・ハウス。
【請求項１０】
平板状の床底部と、前記床底部を上方から覆うドーム状の上部外装部と、前記床底部を下方から覆うドーム状の下部外装部と、を有し、
前記上部外装部における一方の側方には、出入り口開口部が形成されており、
前記上部外装部には、メッシュ状になっており通気可能な窓部を有し前記出入り口開口部を閉止する第１の扉部と、浸水を防止する防水部を介して前記出入り口開口部を水密に封止する第２の扉部と、を交換可能に取り付けられる扉取付部が設けられていることを特徴とするペット用シェルター兼キャリー・ハウス。
【発明の詳細な説明】
【技術分野】
【０００１】
本発明は、通常時にはペット用キャリー・ハウスとして使用可能であり、災害時等にペット用シェルターとして好適に機能するペット用シェルター兼キャリー・ハウスに関する。
【背景技術】
【０００２】
近年、犬や猫等のペットと共に暮らす世帯が増加している。また、住居の屋内だけでなく、様々な公共エリアなどでも、ペットと人が共存できる場所が増加しており、ペットとの親密な共生を求める人が増えつつある。
【０００３】
一方、日本は、世界全体の平均から考えた場合、地震が多発する地域であり、地震をはじめ、豪雨、河川の氾濫、竜巻、火山の噴火等による大災害に対する備えが必要な地域である。万が一、住居からの避難が必要な程の大災害に遭遇した場合、ペットも飼い主と共に避難することが理想的であるものの、ペットを飼い主と一緒に避難させるためには、様々な問題がある。例えば、緊急事態においてペットと共に素早く避難する必要があるという問題や、人の住環境にさえ一定の我慢が求められる避難所等において、人とペットがどのように共生するかという問題や、万が一飼い主と離ればなれになった場合におけるペットの救命に関する問題などが挙げられる（特許文献１等参照）。
【先行技術文献】
【特許文献】
【０００４】
【特許文献１】特開２００７−２０９３２２
【発明の概要】
【発明が解決しようとする課題】
【０００５】
従来のペット用キャリーでは、災害時においてペットが行方不明になった場合に、そのペットの捜索及び救出を容易にするためのシステムが考案されている。しかしながら、従来のペット用キャリーは、ペットと共に避難したいという飼い主の要望に十分に応えられるものではなかった。
【０００６】
本発明は、このような実状に鑑みてなされ、その目的は、災害時等において、ペットを飼い主と一緒に円滑に避難させるペット用シェルター兼キャリー・ハウスを提供することである。
【課題を解決するための手段】
【０００７】
上記目的を達成するために、本発明に係るペット用シェルター兼キャリー・ハウスは、
平板状の床底部と、前記床底部を上方から覆うドーム状の上部外装部と、を有する本体上部と、
前記床底部に対して下方から対向する支持面と、前記支持面を下方から覆うドーム状の下部外装部と、を有する本体下部と、
前記床底部と前記支持面とを着脱自在に接続する接続部と、
を有する。
【０００８】
本発明に係るペット用シェルター兼キャリー・ハウスでは、通常時にペット用のハウスまたはキャリーとして機能し得る本体上部と、災害・避難時に有用な本体下部が、接続部によって着脱自在となっている。そのため、緊急時等において、ペットがキャリーの内部に入ることを拒絶する可能性が低く、ペットを短時間でキャリーの内部に誘導することができるため、ペットと飼い主が一緒に素早く避難することができる。また、外装部がドーム形状であるため、万が一キャリーに落下物等が衝突したり、外部から衝撃が加えられたような場合でも、外装部が破損しにくく内部のペットを好適に保護できる。また、本体下部は、災害時に必要なペットフードやペット用飲料を収納するための床下収納空間として機能するとともに、ドーム状の本体下部は、転覆又は転倒防止機能を奏する。
【０００９】
また、例えば、前記接続部は、
前記床底部及び前記支持面のうちいずれか一方に設けられた永久磁石と、
前記床底部及び前記支持面のうちいずれか他方に、前記永久磁石に対向するように設けられ、磁性材料で構成される磁気結合部と、を有しても良い。
【００１０】
このような接続部を有するペット用シェルター兼キャリー・ハウスは、本体上部と本体下部とを素早く繋げることが可能であるため、ペットとの同行避難を好適に実現できる。
【００１１】
また、例えば、前記本体下部は、前記上部外装部を構成する材料より比重が高い材料によって構成される重心調整部を有しても良く、
前記本体下部の重量は、前記本体上部の重量より重くても良い。
【００１２】
本体下部の重量を重くすることにより、例えば避難中に津波に流されたような場合にでも、本体上部が水面上に位置する可能性が高くなり、このようなペット用シェルター兼キャリー・ハウスは、シェルターとして好適に機能する。
また、通常時にキャリーとして機能し得る本体上部の上部外装部は、比較的軽量な樹脂材料等によって構成することが好ましく、本体下部の重量調整部は、上部外装部より比重が高い水などの液体又は金属等によって構成されることが好ましい。
【００１３】
また、例えば、前記上部外装部の頂部近傍には、メッシュ状になっており通気可能な頂部開口部が形成されており、前記頂部開口部の外周は、前記上部外装部から上方へ突出するリング状の周壁部に囲まれていても良い。
【００１４】
頂部開口部を設けることにより、キャリーの上方から内部にいるペットの様子を容易に確認することができる他、周壁部が設けられていることにより、キャリー内部に水が浸入することを防止し、好適な水面浮上能力を有するペット用シェルター兼キャリー・ハウスを実現できる。
【００１５】
また、例えば、前記上部外装部における一方の側方には、出入り口開口部が形成されていても良く、
前記上部外装部には、メッシュ状になっており通気可能な窓部を有し前記出入り口開口部を閉止する第１の扉部と、浸水を防止する防水部を介して前記出入り口開口部を水密に封止する第２の扉部と、を交換可能に取り付けられる扉取付部が設けられていても良い。
【００１６】
側方に設けられた出入り口開口部により、ペットはキャリーに対して容易に出入りすることが可能である。また、出入り口開口部の扉が、通気タイプの第１の扉部と封止タイプの第２の扉部に交換可能であるため、通常使用時には第１の扉部を用いてキャリー内の住環境を好適に保ち、避難時等にはシェルターとしての機能を高めるために第２の扉部を使用することができる。
【００１７】
また、例えば、前記第１の扉部は、前記窓部に係止可能であって、前記第１の扉部が前記出入り口開口部を閉止した際に、前記本体上部の内部に収容される第１のフード皿を有しても良い。
また、例えば、前記第２の扉部は、前記第２の扉部が前記出入り口開口部を閉止した際に、前記本体上部の内部に収容される第２のフード皿を有しても良い。
【００１８】
第１の扉部及び第２の扉部が、第１のフード皿や第２のフード皿を有することにより、搬送時の振動等でペットフードがキャリー内部にばらまかれてしまうことを防止できる。また、ペットの住空間に食料を配置することにより、ある程度長い時間ペットがキャリー内から出られない場合にも、ペットが空腹状態になることを防止できる。
【００１９】
また、例えば、前記本体上部における前記床底部と前記上部外装部に覆われた空間は、前記出入り口開口部からペットが出入りできるペット居住領域と、給水ノズルに接続される貯水部が収納される収納部と、に分離されていても良く、
前記ペット居住領域と前記収納部は、前記ペット居住領域に前記給水ノズルの先端部が露出した状態で、前記給水ノズルが設置される仕切り壁により分離されていても良く、
前記本体上部の他方の側方には、第３の扉部によって水密に封止可能であって、前記収納部に前記貯水部を出し入れ可能な付設開口部が形成されていても良い。
【００２０】
本体上部に給水ノズル及び貯水部が設けられていることにより、内部のペットは、長期間キャリー内に居住することが可能であり、また、付設開口部から貯水部を出し入れできるため、飼い主以外の人でも、貯水部の交換を容易に行うことが可能である。
【００２１】
また、例えば、前記上部外装部は、ＡＢＳ樹脂、ＦＲＰ、ＰＣ及びＰＰのうち少なくとも１つを含む材料で構成されていても良い。
【００２２】
上部外装部を、比較的軽量で丈夫な素材で構成することにより、本体上部及びペット用シェルター兼キャリー・ハウスの持ち運びを容易にするとともに、災害時の落下物等から、内部のペットを好適に保護できる。
【００２３】
また、例えば、前記本体上部又は前記本体下部の内部にＧＰＳ発信器が設けられていても良い。
避難中に、万が一ペットが、ペットキャリーもろとも津波に巻き込まれたような場合でも、ＧＰＳ発信器からの位置情報を用いてペットを捜索することが可能であり、ペットの救助可能性を高めることができる。
【００２４】
また、本発明の第２の観点に係るペット用シェルター件キャリー・ハウスは、
平板状の床底部と、前記床底部を上方から覆うドーム状の上部外装部と、前記床底部を下方から覆うドーム状の下部外装部と、を有し、
前記上部外装部における一方の側方には、出入り口開口部が形成されており、
前記上部外装部には、メッシュ状になっており通気可能な窓部を有し前記出入り口開口部を閉止する第１の扉部と、浸水を防止する防水部を介して前記出入り口開口部を水密に封止する第２の扉部と、を交換可能に取り付けられる扉取付部が設けられていることを特徴とする。
【００２５】
ドーム状の下部外装部は、水面浮上にペット用シェルター件キャリー・ハウスが転覆することを防止し、シェルターとしての機能を向上させる。また、下部外装部と床底部の間の空間は、ペット用シェルター件キャリー・ハウスに浮上能力を与えるとともに、避難時に持ち出す予備のペットフードや水等を収納する収納スペースとして機能する。
【図面の簡単な説明】
【００２６】
【図１】図１（ａ）は、本発明の一実施形態に係るペット用シェルター兼キャリー・ハウスの全体斜視図、図１（ｂ）は第２の扉部の内側を表す斜視図である。
【図２】図２（ａ）は、分離した本体上部の斜視図、図２（ｂ）は第１の扉部及び第１のフード皿を表す斜視図である。
【図３】図３は、分離した本体下部の斜視図である。
【図４】図４は、本体上部のみをペット用ハウス又はペット用キャリーとして使用する際の使用状態を示す概念図である。
【図５】図５は、本体上部と本体下部を接続し、避難時等におけるペット用シェルター兼キャリー・ハウスとして用いる使用状態を示す概念図である。
【発明を実施するための形態】
【００２７】
図１（ａ）は、本発明の一実施形態に係るペット用シェルター兼キャリー・ハウス１０の全体斜視図である。ペット用シェルター兼キャリー・ハウス１０は、本体上部２０と、本体上部２０の下方に取付可能な本体下部５０と、本体上部２０と本体下部５０とを接続する接続部６０（図５参照）とを有する。図２（ａ）及び図３に示すように、本体上部２０と本体下部５０とは分割可能であり、後述するように、本体上部２０は、単独でペット用キャリー又はペット用ハウスとして使用できる。
【００２８】
図１（ａ）及び図２（ａ）に示すように、本体上部２０は、平面視略円形又は楕円形の床底部２１と、当該床底部２１を上方から覆うドーム状の上部外装部２２とを有する。床底部２１の上方であって上部外装部２２の下方には、ペットを内部に収容するためのペット居住領域３０ａが形成され、床底部２１はペット居住領域３０ａの床として機能し、上部外装部２２はペット居住領域３０ａの壁及び屋根として機能する。
【００２９】
上部外装部２２には、頂部開口部２２ａと、出入り口開口部２２ｂと、付設開口部２２ｃの３つの開口部が形成されている。頂部開口部２２ａは、上部外装部２２の頂部近傍に形成されており、開口部２２ａ、２２ｂ、２２ｃを除く上部外装部２２が、水や空気を通過させない連続体で構成されているのに対して、頂部開口部２２ａは、通気可能なメッシュ状になっている。メッシュの材質は、上部外装部２２と同様に樹脂であっても良く、また、樹脂粉体焼き付けタイプの金属等であっても良い。頂部開口部２２ａの外周は、上部外装部２２から上方へ突出するリング状の周壁部２７に囲まれている。周壁部２７は、図５に示すような水面浮上時に、頂部開口部２２ａから水が侵入することを防止する。また、上部外装部２２には、ペット用シェルター兼キャリー・ハウス１０を持ち運ぶためのグリップ２９が取付られている。
【００３０】
出入り口開口部２２ｂは、ペットがペット居住領域３０ａに出入りするための開口であり、上部外装部２２における一方の側方に設けられている。出入り口開口部２２ｂの近傍には、出入り口開口部２２ｂの扉を取り付けるための扉取付部２３が設けられている。扉取付部２３には、平常時等に用いる第１の扉部２４（図２（ｂ）参照）と、災害時等に用いる第２の扉部２５とを、交換可能に取り付けることができる。
【００３１】
図２（ａ）及び図２（ｂ）に示す第１の扉部２４は、腕部２４ｄを扉取付部２３に係合させることにより上部外装部２２に対して着脱可能に取り付けられ、扉取付部２３を中心に回動することにより、出入り口開口部２２ｂを閉止及び開放することができる。また、第１の扉部２４は、上部外装部２２に設けられた回転レバー８６により、出入り口開口部２２ｂを閉止した状態でロックされる。第１の扉部２４は、メッシュ状になっており通気可能な窓部２４ｃと、窓部２４ｃに係止可能な係止部２４ａｂを備える第１のフード皿２４ａを有する。図４に示すように、窓部２４ｃに取り付けられたフード皿２４ａは、第１の扉部２４が出入り口開口部２２ｂを閉止した際に、本体上部２０におけるペット居住領域３０ａに収容される。
【００３２】
図１（ａ）及び図１（ｂ）に示す第２の扉部２５は、第１の扉部２４と同様に、腕部２５ｄを扉取付部２３に係合させることにより取り付けられ、出入り口開口部２２ｂを閉止及び開放することができる。図１（ｂ）に示すように、第２の扉部２５の内側面には、外周縁に沿ってゴムやエラストマ等による防水部２５ｂが形成されており、第２の扉部は、回転レバー８６でロックされることにより、出入り口開口部２２ｂを、防水部２５ｂを介して水密に封止する。また、第２の扉部２５の内側面には、第２のフード皿２５ａが取り付けられており、フード皿２５ａは、第２の扉部２５が出入り口開口部２２ｂを封止した状態において、ペット居住領域３０ａに収容される。
【００３３】
図４及び図５に示すように、付設開口部２２ｃは、貯水部３３及び給水ノズル３１等を収納部３０ｂに出し入れするための開口であり、上部外装部２２における他方の側方に形成されている。付設開口部２２ｃには、不図示の取付部を介して、第３の扉部２６が取り付けられている。第３の扉部２６は、第２の扉部２５と同様の防水部を有しており、付設開口部２２ｃを水密に封止する。
【００３４】
本体上部２０における床底部２１と上部外装部２２とに覆われた空間は、出入り口開口部２２ｂを介してペットが出入りできるペット居住領域３０ａと、給水ノズル３１に接続される貯水部３３が収納される収納部３０ｂに分離されている。ペット居住領域３０ａと、収納部３０ｂは、床底部２１から上部外装部２２に向かって略垂直に立ち上がる仕切り壁２８によって分離されている。仕切り壁２８には、給水ノズル３１の先端部３１ａを挿通させる貫通孔が形成されている。給水ノズル３１及び貯水部３３は、仕切り壁２８に取り付けられたアダプタ３２を介して、ペット居住領域３０ａに先端部３１ａが露出した状態で、仕切り壁２８に設置される。貯水部３３としては、例えば市販のペットボトル入り飲料水等を使用することができる。
【００３５】
床底部２１及び上部外装部２２の材質は特に限定されないが、軽量で剛性の高い材料を採用することが好ましく、ＡＢＳ樹脂（アクリロニトリルブタジエンスチレン共重合合成樹脂）、ＦＲＰ（ファイバーレインフォーズドプラスチック）、ＰＣ（ポリカーボネート）、ＰＰ（ポリプロピレン）のうち少なくとも１つを含む材料で構成されることがより好ましい。また、第１の扉部２４の周辺部と、第２の扉部２５における防水部２５ｂ以外の部分は、上部外装部２２と同様に樹脂材料等を用いて作製されることが好ましく、第１の扉部２４の窓部２４ｃは、樹脂材料又は樹脂粉体焼き付けタイプの金属等で作成されることが好ましい。ペット用シェルター兼キャリー・ハウス１０のサイズは、収容するペット等に応じて調整可能であるが、例えば床底部２１の直径が４０〜６０ｃｍ程度、床底部２１から頂部開口部２２ａまでの高さが３０〜５０ｃｍ程度とすることができる。
【００３６】
図３は、本体上部２０から分離した本体下部５０の斜視図である。本体下部５０は、本体上部２０の床底部２１に対して下方から対向する支持面５２と、支持面５２及び床底部２１を下方から覆うドーム状の下部外装部５４とを有する。支持面５２は、中央部に貫通孔５２ａが形成されたリング状の形状を有しており、貫通孔５２ａを介して本体下部５０の内部に物品を出し入れすることが可能である。また、本体下部５０には、図１等に示すように、本体上部２０と本体下部５０とを接続した状態で、ペット用シェルター兼キャリー・ハウス１０を肩にかけて持ち運べるように、ショルダーベルト５８が備えられても良い。
【００３７】
支持面５２には、床底部２１と支持面５２の間を水密に封止するための防水部５３が設けられている。下部外装部５４の底部は平坦面となっており、図１に示すように、本体上部２０と本体下部５０とを接合した状態で、地面やフロア等の平坦面に安定した姿勢で設置できる。また、図５に示すように、本体下部５０は、上部外装部２２を構成する材料より比重が高い金属等の固体や水等の材料によって構成される重心調整部５６を有している。支持面５２及び下部外装部５４は、上部外装部２２及び床底部２１と同様の材質で作製されることが好ましく、このような場合、重心調整部５６を有する本体下部５０の重量は、本体上部２０の重量より重くなる。重心調整部５６の設置位置は特に限定されないが、下部外装部５４の底部に設けられることが、ペット用シェルター兼キャリー・ハウス１０の転覆及び転倒防止機能を高める観点から好ましい。
【００３８】
本体上部２０と本体下部５０とを着脱自在に接続する接続部６０は、図５に示すように、本体上部２０の床底部２１と、本体下部５０の支持面５２に分けて設けられる。すなわち、接続部６０は、支持面５２の周方向に沿って設けられる永久磁石６２（図３参照）と、永久磁石６２に対向するように床底部２１に設けられ、鉄又は永久磁石等の磁性材料で構成される磁気結合部６４（図１参照）とを有する。このような接続部６０を有するペット用シェルター兼キャリー・ハウス１０は、グリップ２９を掴んで本体上部２０を、本体下部５０に対して概略の位置を合わせて上方から押し付けることにより、容易に本体上部２０と本体下部５０とを接続することができる。本体下部５０の底部から支持面５２までの高さは、特に限定されないが、１５〜４０ｃｍ程度とすることができる。
【００３９】
図４は、ペット用シェルター兼キャリー・ハウス１０の災害時以外（平常時）における使用状態を表す概念図である。図４に示すように、平常時において、ペット用シェルター兼キャリー・ハウス１０は、本体上部２０と本体下部５０とを切り離し、本体上部２０のみをペット用キャリー又はペット用ハウスとして使用することができる。本体上部２０は、床底部２１の下面がフロア８０若しくは地面に接触するように設置される。この場合、本体上部２０には、出入り口開口部２２ｂを閉止するための第１の扉部２４が取り付けられる。第１の扉部２４は、メッシュ状の窓部２４ｃを有するため、外部から内部のペットを観察し易く、また、ペット居住領域３０ａに外部から多くの光が入るため、第２の扉部２５を使用する場合より、ペット居住領域３０ａの居住快適性を向上させることができる。
【００４０】
また、ペット居住領域３０ａの内部には、フード皿２４ａや給水ノズル３１の先端部３１ａが配置されているため、ペットは、ペット居住領域３０ａでエサや水を摂取することが可能であり、ペット居住領域３０ａで快適に居住することが可能である。
【００４１】
図５は、ペット用シェルター兼キャリー・ハウス１０の災害時における使用状態を表す概念図である。図５に示すように、災害における避難時等において、ペット用シェルター兼キャリー・ハウス１０は、本体上部２０と本体下部５０とを接続するとともに、第１の扉部２４を第２の扉部２５に取り替えて使用する。通常時において、本体上部２０をペット用キャリー又はペット用ハウス等として使用しておくことにより、災害時においても、ペットをスムーズに本体上部２０のペット居住領域３０ａに誘導し、円滑な避難を行うことが可能である。
【００４２】
また、永久磁石６２と磁気結合部６４とを有する接続部６０により、本体上部２０に対して本体下部５０を容易かつ迅速に取り付けることが可能であるため、災害時に慌てることなく、ペットを連れて避難することができる。さらに、本体下部５０の内部には、予備のペットフード８４や水の入った予備タンク８２を、災害時用として保管しておくことが可能である。なお、予備タンク８２は、貯水部３３と交換して、給水ノズル３１に取り付けることができる。したがって、災害時において、本体下部５０を本体上部２０に対し接続して運ぶことにより、ペットとの共同避難に必要な物を、迅速に持ち出すことが可能である。図１に示すショルダーベルト５８を用いれば、ペット用シェルター兼キャリー・ハウス１０は、両手を塞がずに持ち運ぶことも可能である。また、ペット用シェルター兼キャリー・ハウス１０は、避難先等でもペット用シェルターとして使用することができるため、ペット及び飼い主の避難生活に有用である。
【００４３】
さらに、本体上部２０と本体下部５０の接触部分や、第２の扉部２５及び第３の扉部２６と上部外装部２２の接触部分は、内部に水が浸入しない防水構造となっているため、ペット用シェルター兼キャリー・ハウス１０は、水面に浮く浮上能力を有している。したがって、万が一避難中に津波に流されたような場合でも、ペット用シェルター兼キャリー・ハウス１０は、水面に浮上して、ペット居住領域３０ａ内のペットを救命する。また、本体下部５０に設けられた重心調整部５６及び外装部２２、５４のドーム状の形状が、浮上したペット用シェルター兼キャリー・ハウス１０の転覆を防止する。万が一、避難中にペット用シェルター兼キャリー・ハウス１０が飼い主の手を離れたとしても、ペット居住領域３０ａ内のペットは、一定の期間は、フード皿２５ａや給水ノズル３１から水分や食料を摂取することが可能である。また、ＧＰＳ発信器７０からの位置情報に基づきペットの捜索を行うことにより、ペットの救助可能性をさらに上昇させることができる。
【００４４】
本発明は、上述の実施形態に限定されるものではなく、様々な変更が可能である。例えば、上部外装部２２及び下部外装部５４の外形状は、接合面を基準として略対称形状であっても良いが、上部外装部２２の高さを、下部外装部５４の高さより高くすることが好ましく、これによりペットの居住空間を広く確保し、かつ浮上時の転覆を抑制することができる。また、床底部２１の形状は、円形又は楕円形に限定されず、５角形以上の多角形等であっても良い。また、上部外装部２２及び床底部２１には、衝撃吸収用の内張り材（ライナー）が設置されていてもよく、これにより、ペット用シェルター兼キャリー・ハウス１０が持ち運び中に落下等したような場合にも、内部のペットを衝撃から保護することができる。
【符号の説明】
【００４５】
１０…ペット用シェルター兼キャリー・ハウス
２０…本体上部
２１…床底部
２２…上部外装部
２２ａ…頂部開口部
２２ｂ…出入り口開口部
２２ｃ…付設開口部
２３…扉取付部
２４…第１の扉部
２４ａ…第１のフード皿
２４ｃ…窓部
２５…第２の扉部
２５ａ…第２のフード皿
２５ｂ，５３…防水部
２６…第３の扉部
２７…周壁部
２８…仕切り壁
３１…給水ノズル
５０…本体下部
５２…支持面
５２ａ…貫通孔
５４…下部外装部
５６…重心調整部
６０…接続部
６２…永久磁石
６４…磁気結合部
７０…ＧＰＳ発信器
【図１】
2015112101.tif 000003
【図２】
2015112101.tif 000004
【図３】
2015112101.tif 000005
【図４】
2015112101.tif 000006
【図５】
2015112101.tif 000007